(57)【要約】【課題】共用部のパイプスペースの平面積を極力小さくできるようにするとともに、そのパイプスペースと住戸内とを仕切る防火区画壁における排水横枝管用の貫通孔を必要最小限にすることを目的とする。【解決手段】本発明に係る排水設備は、集合住宅の共用部にあるパイプスペースＣｍに設置された排水管継手１０によって、その排水管継手１０と同一階に設けられた排水横枝管３と排水立て管とが下階の排水立て管に接続される構成であり、さらに排水横枝管３がパイプスペースＣｍから防火区画壁Ｃｆを貫通した状態で住戸内に導かれている排水設備であって、排水横枝管３の住戸内端部には多方管継手５０が接続されており、その多方管継手５０と住戸内の各々の衛生器具との間に複数本の末端排水横枝管５，６，７が配管されている。【選択図】      図１
2007297809.tif 000002
【特許請求の範囲】
【請求項１】
集合住宅における共用部のパイプスペースに設置された排水管継手によって、その排水管継手と同一階に設けられた排水横枝管と排水立て管とが下階の排水立て管に接続される構成であり、さらに前記排水横枝管が前記パイプスペースから防火区画壁を貫通した状態で住戸内に導かれている排水設備であって、
前記排水横枝管の住戸内端部には多方管継手が接続されており、その多方管継手と前記住戸内の各々の衛生器具との間に複数本の末端排水横枝管が配管されていることを特徴とする排水設備。
【請求項２】
請求項１に記載された排水設備であって、
多方管継手は、防火区画壁から少なくとも1m離れた位置に設置されていることを特徴とする排水設備。
【請求項３】
請求項１、又は請求項２に記載された排水設備であって、
多方管継手には、その上面の位置に掃除口が設けられていることを特徴とする排水設備。
【請求項４】
請求項１から請求項３に記載された排水設備であって、
排水立て管、排水管継手、及びその排水管継手と多方管継手との間に設けられた排水横枝管は不燃材により構成されていることを特徴とする排水設備。
【請求項５】
請求項１から請求項４に記載された排水設備であって、
多方管継手において、汚水用の末端排水横枝管が接続される汚水用受け口と、防火区画壁を貫通する排水横枝管が接続される出側受け口とは同軸に保持されており、前記汚水用受け口の呼び径が65mm、又は50mmに設定されていることを特徴とする排水設備。
【発明の詳細な説明】
【技術分野】
【０００１】
本発明は、集合住宅の共用部にあるパイプスペースに設置された排水管継手によって、その排水管継手と同一階に設けられた排水横枝管と排水立て管とが下階の排水立て管に接続される構成であり、さらに前記排水横枝管が前記パイプスペースから防火区画壁を貫通した状態で住戸内に導かれている排水設備に関する。
【背景技術】
【０００２】
ＳＩ住宅等、近年の集合住宅では、図５に示すように、防火区画壁Ｃｆによって住戸側と廊下側とが仕切られており、廊下側に集合管継手１１０、及び排水立て管（図示省略）等が設置されるパイプスペース１０１が設けられている。
パイプスペース１０１内には、例えば、同一方向（住戸側）を指向した三個の横枝管受け口１１２を備える集合管継手１１０が設置されている。そして、集合管継手１１０の各横枝管受け口１１２に住戸内に設けられた各種衛生器具からの排水を導く三本の排水横枝管１２１，１２２，１２３がそれぞれ接続されるようになっている（特許文献１  参照）。
三本の排水横枝管１２１，１２２，１２３は、平行に配管された状態で防火区画壁Ｃｆの貫通孔に通され、集合管継手１１０の横枝管受け口１１２に接続されている。
このように、三本の排水横枝管１２１，１２２，１２３が平行な状態で集合管継手１１０の横枝管受け口１１２に接続されるため、集合管継手１１０の回りの配管スペースがさほど大きくならない。
【０００３】
【特許文献１】特開２００４−１６９３２９号公報
【発明の開示】
【発明が解決しようとする課題】
【０００４】
しかし、上記した排水設備では、住戸内に設けられた各種衛生器具からの排水を三本の排水横枝管１２１，１２２，１２３でパイプスペース１０１内の集合管継手１１０まで導く構成のため、集合管継手１１０に三個の横枝管受け口１１２が必要になる。即ち、三個の横枝管受け口１１２を横並びさせる必要があるため、集合管継手１１０の幅寸法が比較的大きくなる。このため、集合管継手１１０が設置されるパイプスペース１０１の幅寸法を大きくする必要があり、パイプスペース１０１の平面積を小さく抑えるのが難しい。
また、防火区画壁Ｃｆの貫通孔は必要最小限にする必要があるが、上記排水設備では三本の排水横枝管１２１，１２２，１２３をそれぞれ通す貫通孔を形成する必要があり、好ましくない。
【０００５】
本発明は、上記問題点を解決するためになされたものであり、本発明が解決しようとする課題は、パイプスペースの平面積を極力小さくできるようにするとともに、そのパイプスペースと住戸内とを仕切る防火区画壁における排水横枝管用の貫通孔を必要最小限にすることを目的とする。
【課題を解決するための手段】
【０００６】
上記した課題は、各請求項の発明によって解決される。
請求項１の発明は、集合住宅における共用部のパイプスペースに設置された排水管継手によって、その排水管継手と同一階に設けられた排水横枝管と排水立て管とが下階の排水立て管に接続される構成であり、さらに前記排水横枝管が前記パイプスペースから防火区画壁を貫通した状態で住戸内に導かれている排水設備であって、前記排水横枝管の住戸内端部には多方管継手が接続されており、その多方管継手と前記住戸内の各々の衛生器具との間に複数本の末端排水横枝管が配管されていることを特徴とする。
【０００７】
本発明によると、住戸内の各衛生器具からの排水は複数本の末端排水横枝管によって多方管継手まで導かれ、その多方管継手で合流させられた後、排水横枝管によってパイプスペース内に設置された排水管継手まで導かれる。したがって、住戸内の多方管継手とパイプスペース内の排水管継手との間の排水横枝管が一本で良くなる。このため、住戸内の複数の衛生器具から複数本の排水横枝管によってパイプスペース内の排水管継手まで排水を導く構成と比較して、排水管継手まわりの配管用のスペースを小さくできる。したがって、排水管継手が設置されるパイプスペースの平面積を小さくできる。さらに、パイプスペースと住戸内とを仕切る防火区画壁に形成される排水横枝管用の貫通孔も最小限になる。
なお、「集合住宅」には、マンションやホテル等の他、オフィスビルや複数の店舗が入居している雑居ビル等も含むものとする。
【０００８】
請求項２の発明によると、多方管継手は、防火区画壁から少なくとも1m離れた位置に設置されていることを特徴とする。
このため、多方管継手を住戸側に約1m入り込んだ位置、即ち、住宅のほぼ玄関位置に設置できるようになる。このため、排水設備の洗浄等で多方管継手を使用する際に、作業者が住宅の玄関位置近傍で作業すればよく、住宅の奥まで立ち入る必要がない。このため、住人の心理的な負担が軽減される。
さらに、多方管継手は、防火区画壁から少なくとも1m離れているため、その多方管継手を耐火構造にしなくても良く、コスト低減を図ることができる。
【０００９】
請求項３の発明によると、多方管継手には、その上面の位置に掃除口が設けられていることを特徴とする。
請求項４の発明によると、排水立て管、排水管継手、及びその排水管継手と多方管継手との間に設けられた排水横枝管は不燃材により構成されていることを特徴とする。
請求項５の発明によると、多方管継手において、汚水用の末端排水横枝管が接続される汚水用受け口と、防火区画壁を貫通する排水横枝管が接続される出側受け口とは同軸に保持されており、前記汚水用受け口の呼び径が65mm、又は50mmに設定されていることを特徴とする。
【発明の効果】
【００１０】
本発明によると、防火区画の平面積を小さくできるとともに、その防火区画壁における排水横枝管用の貫通孔も最小限になる。
【発明を実施するための最良の形態】
【００１１】
［実施形態１］
以下、図１から図４に基づいて本発明の実施形態１に係る排水設備の説明を行なう。
本実施形態の排水設備は、高層ビル、又は高層集合住宅の排水設備であり、図１にその排水設備の平面図が示されている。図２は排水設備に使用される排水管継手の側面図であり、図３は排水管継手の変更例を表す平面図である。また、図４は排水設備に使用される多方管継手の平面図等である。
ＳＩ住宅等、近年の集合住宅では、上階Ａと下階Ｂとを仕切るコンクリートスラブＣＳの上が、図１に示すように、防火区画壁Ｃｆによって住戸側Ｐｒと廊下側Ｃｙとに仕切られており、廊下側Ｃｙに排水管継手１０、及び排水立て管２等が設置される共用部のパイプスペースＣｍが設けられている。パイプスペースＣｍの床部（コンクリートスラブＣＳ）には、図２に示すように、所定位置に貫通孔Ｃｈが形成されており、その貫通孔Ｃｈに排水管継手１０の胴部１１が縦向きに通されるようになっている。
【００１２】
＜排水管継手１０について＞
排水管継手１０は、図２に示すように、上階Ａの排水立て管２、及び主排水横枝管３（図１参照）を下階Ｂの排水立て管２に接続する管継手であり、前述のように、コンクリートスラブＣＳの貫通孔Ｃｈに通される円筒状の胴部１１を備えている。
排水管継手１０の胴部１１は、例えば、上下分割式であり、上胴体１１ａと下胴体１１ｂとから構成されている。そして、上胴体１１ａの下部フランジ４１と下胴体１１ｂの上部フランジ４２とがパッキン（図示省略）を介して水密な状態で同軸に接続されている。
胴部１１の上胴体１１ａの上端部には、前記上階Ａの排水立て管２の下端部が挿入接続される上部受け口２２が形成されている。上部受け口２２の内側には、排水立て管２の下端部と上部受け口２２間を水密な状態でシールする略筒状のシール材（図示省略）が嵌め込まれている。ここで、上部受け口２２は呼び径が100mmの排水立て管２が挿入接続可能に構成されている。また、上胴体１１ａの外周面には上下方向に延びる制振リブ１１ｒが形成されている。
【００１３】
胴部１１の下胴体１１ｂの上側面には、上部フランジ４２の下側に主横枝管受け口２４が形成されている。主横枝管受け口２４は、呼び径が100mmの主排水横枝管３が挿入接続可能に構成されている。なお、主横枝管受け口２４の内側にも上部受け口２２と同様に前記シール材が嵌め込まれている。
また、排水管継手１０の下胴体１１ｂは、主横枝管受け口２４の下側が上胴体１１ａとほぼ等しい径寸法の大径部１１ｆとなっており、その大径部１１ｆの下側にテーパ部１１ｔを介して排水立て管２と等しい径寸法の下部直管１１ｘが形成されている。そして、その下部直管１１ｘの下端に下階Ｂの排水立て管２の上端部（直管）が挿入可能なフランジ付き受け口４３が形成されている。さらに、排水管継手１０の下胴体１１ｂの内壁面には、大径部１１ｆからテーパ部１１ｔにかけて流下する排水を旋回させるための旋回ガイド４４が形成されている。
【００１４】
＜排水管継手１０の設置、及び主排水横枝管３の施工について＞
排水管継手１０の胴部１１が、図２に示すように、コンクリートスラブＣＳの貫通孔Ｃｈに通されて、その胴部１１に設けられた主横枝管受け口２４がコンクリートスラブＣＳの上面に支持されると、図１に示すように、防火区画壁Ｃｆの配管用貫通孔（図示省略）に主排水横枝管３が通されて、その主排水横枝管３が排水管継手１０の主横枝管受け口２４に接続される。さらに、主排水横枝管３の住戸側の端部、即ち、上流端に多方管継手５０が接続される。
ここで、多方管継手５０が防火区画壁Ｃｆから少なくとも1m離れるように主排水横枝管３の長さ寸法が設定されている。これによって、多方管継手５０、及び多方管継手５０に接続される末端排水横枝管５，６，７（後記する）を耐火構造にしなくても良くなり、設備コストの低減を図れるようになる。なお、主排水横枝管３には、例えば、鋳鉄管、あるいは樹脂管を不燃材料で被覆した塩ビライニング鋼管や耐火二層管等が使用される。
さらに、防火区画壁Ｃｆから多方管継手５０の端部までの距離を約1mとすることで、多方管継手５０を住宅の玄関位置に設置できるようになる。このため、排水設備の洗浄等で多方管継手５０を使用する際に、作業者が住宅の玄関位置近傍で作業すればよく、住宅の奥まで立ち入る必要がない。このため、住人の心理的な負担が軽減される。
なお、図１において多方管継手５０を囲む角形の点線Ｔは、玄関の上がり框に設けられた床上点検口を表している。また、符号Ｔｓは玄関の靴脱ぎ部であり、符号Ｔｈは下駄箱、符号Ｔｄは玄関扉を表している。
【００１５】
＜多方管継手５０について＞
多方管継手５０は、住戸内に設置されている台所流し台、洗面台、浴槽、及び便器等の各種衛生器具からそれぞれ末端排水横枝管５，６，７によって導かれた排水を合流させて主排水横枝管３に流す働きをする。
多方管継手５０には、図１、図４（Ａ）に示すように、第１末端排水横枝管５、第２末端排水横枝管６、及び第３末端排水横枝管７がそれぞれ接続される第１入り側受け口５１、第２入り側受け口５２、及び第３入り側受け口５３が設けられている。第１入り側受け口５１は多方管継手５０の中心線上に形成されており、第２入り側受け口５２、第３入り側受け口５３は、第１入り側受け口５１の左右両側に配置されて、その第１入り側受け口５１の中心軸線に対して約45°傾斜した状態で形成されている。また、多方管継手５０には、第１入り側受け口５１と反対側の位置に、主排水横枝管３が接続される出側受け口５５がその第１入り側受け口５１と同軸に設けられている。
第１、第２、第３入り側受け口５１，５２，５３は、排水管継手１０の主横枝管受け口２４と等しい構成であり、呼び径が80mmに設定されている。また、出側受け口５５は、排水管継手１０のフランジ付き受け口４３と等しい構成であり、呼び径が100mmに設定されている。
さらに、多方管継手５０の上面中央部には、蓋付の掃除口５７が設けられている。
また、第１入り側受け口５１と第２入り側受け口５２との間のリブ部５１ａ、及び第１入り側受け口５１と第３入り側受け口５３との間のリブ部５１ｂには、先端（下端）が床面に当接するように支持ボルトＢが縦向きに螺合されている。
【００１６】
多方管継手５０の第１入り側受け口５１には、図１に示すように、便器（図示省略）からの汚水を導く第１末端排水横枝管５が接続される。第１末端排水横枝管５は、呼び径80mmの塩ビ管であり、特に耐火処理は施されていない。
即ち、第１入り側受け口５１が本発明の汚水用受け口に相当する。
多方管継手５０の第２入り側受け口５２には、曲がり管５２ｅ、異形ソケット５２ｓを介して台所流し台からの排水を導く第２末端排水横枝管６が接続される。第２末端排水横枝管６は、呼び径50mmの塩ビ管であり、特に耐火処理は施されていない。
多方管継手５０の第３入り側受け口５３には、曲がり管５３ｅ、異形ソケット５３ｓを介して浴室、洗面台、洗濯機等からの排水を導く第３末端排水横枝管７が接続される。第３末端排水横枝管６は、呼び径65mmの塩ビ管であり、特に耐火処理は施されていない。
【００１７】
＜本実施形態に係る排水設備の長所＞
本実施形態に係る排水設備によると、住戸内の各衛生器具からの排水は複数本（三本）の末端排水横枝管５，６，７によって多方管継手５０まで導かれ、その多方管継手５０で合流させられた後、主排水横枝管３によってパイプスペースＣｍ内に設置された排水管継手１０まで導かれる。したがって、住戸内の多方管継手５０とパイプスペースＣｍ内の排水管継手１０との間の主排水横枝管３が一本で良くなる。このため、住戸内の複数の衛生器具から複数本の排水横枝管によってパイプスペースＣｍ内の排水管継手１０まで排水を導く構成と比較して、排水管継手１０まわりの配管用のスペースを小さくできる。したがって、排水管継手１０が設置されるパイプスペースＣｍの平面積を小さくできる。さらに、パイプスペースＣｍと住戸内Ｐｒとを仕切る防火区画壁Ｃｆに形成される排水横枝管用の貫通孔も最小限になる。
また、多方管継手５０は、住戸側に約1m入り込んだ位置で、住宅のほぼ玄関位置に設置される。このため、排水設備の洗浄等で多方管継手５０を使用する際に、作業者が住宅の玄関位置近傍で作業すればよく、住宅の奥まで立ち入る必要がない。このため、住人の心理的な負担が軽減される。
【００１８】
＜変更例＞
ここで、本発明は上記実施形態に限定されるものではなく、本発明の要旨を逸脱しない範囲における変更が可能である。例えば、本実施形態では、図１に示すように、胴部１１の側面に一個の主横枝管受け口２４が形成された排水管継手１０を使用した排水設備について例示した。しかし、図３（Ａ）（Ｂ）に示すように、第１、第２横枝管受け口２４ａ，２４ｂが形成された排水管継手１０、あるいは第１〜第３横枝管受け口２４ａ，２４ｂ，２４ｃが形成された排水管継手１０を使用して本発明に係る排水設備を組み立てることも可能である。
また、本実施形態では、図１、及び図４（Ａ）に示すように、多方管継手５０の出側受け口５５を排水管継手１０のフランジ付き受け口４３と等しい構成にする例を示したが、図４（Ｂ）（Ｄ）に示すように、短管状の接続部５４とすることも可能である。この場合、主排水横枝管３の端部に多方管継手５０の接続部５４が差し込まれる受け口を形成することが必要になる。
また、本実施形態では、第１〜第２入り側受け口５１，５２，５３を備える多方管継手５０を例示したが、図４（Ｃ）に示すように、第１、第３入り側受け口５１，５３を備える多方管継手５０、あるいは図４（Ｄ）に示すように、第１、第２入り側受け口５１，５２を備える多方管継手５０を使用することも可能である。
また、本実施形態では、汚水用の第１入り側受け口５１を呼び径80mmで形成する例を示したが、その第１入り側受け口５１に第１末端排水横枝管５を介して超節水6リットル便器が接続される場合には、第１入り側受け口５１、及び第１末端排水横枝管５を呼び径65mm、あるいは呼び径50mmに設定することが可能である。
また、本実施形態では、多方管継手５０が防火区画壁Ｃｆから少なくとも1m離れるように主排水横枝管３の長さ寸法を設定する例を示したが、多方管継手５０を、例えば、鋳鉄等の不燃材で構成すれば、その多方管継手５０を防火区画壁Ｃｆから1m以内の位置に設置することも可能である。
【図面の簡単な説明】
【００１９】
【図１】本発明の実施形態１に係る排水設備の平面図である。
【図２】排水設備に使用される排水管継手の側面図である。
【図３】排水設備に使用される排水管継手の変更例を表す平面図（Ａ図、Ｂ図）である。
【図４】排水設備に使用される多方管継手の平面図（Ａ図）、及び多方管継手の変更例を表す平面図（Ｂ図、Ｃ図、Ｄ図）である。
【図５】従来の排水設備を表す平面図である。
【符号の説明】
【００２０】
Ｃｍ      パイプスペース
Ｃｆ      防火区画壁
２        排水立て管
３        主排水横枝管
５        第１末端排水横枝管（汚水用の末端排水横枝管）
６        第２末端排水横枝管
７        第３末端排水横枝管
５０      多方管継手
５１      第１入り側受け口（汚水用受け口）
５２      第２入り側受け口
５３      第３入り側受け口
５５      出側受け口
【図１】
2007297809.tif 000003
【図２】
2007297809.tif 000004
【図３】
2007297809.tif 000005
【図４】
2007297809.tif 000006
【図５】
2007297809.tif 000007